(57)【要約】【課題】  引戸と枠体の間の隙間に炎や煙等が通過するのを阻む。【解決手段】  内側に通路用開口部Ａを有する枠体１０と、該枠体１０内を横幅方向へ移動することで通路用開口部Ａを開閉する引戸２０とを具備した引戸装置において、通路用開口部Ａを閉鎖した際の枠体１０と引戸２０との間の隙間に、該隙間に侵入した流体を、その侵入方向に対する逆方向へ向けた後に同侵入方向へ戻す迂回路ｓ１が形成されるようにした。【選択図】  図１３
2014211038.tif 000002
【特許請求の範囲】
【請求項１】
内側に通路用開口部を有する枠体と、該枠体内を横幅方向へ移動することで前記通路用開口部を開閉する引戸とを具備した引戸装置において、
前記通路用開口部を閉鎖した際の前記引戸と前記枠体との間の隙間に、該隙間に侵入した流体を、その侵入方向に対する逆方向へ向けた後に同侵入方向へ戻す迂回路が形成されるようにしたことを特徴とする引戸装置。
【請求項２】
前記隙間は、前記引戸を挟む一方側の空間と他方側の空間とを連通するように形成された隙間であることを特徴とする請求項１記載の引戸装置。
【請求項３】
前記迂回路は、前記引戸から戸厚方向へ突出するとともにその突端側が引戸面に沿うように曲げられた引戸側突片部と、前記枠体から突出して引戸面と前記引戸側突片部との間に入り込むように設けられた枠体側突片部とから構成されることを特徴とする請求項１又は２記載の引戸装置。
【請求項４】
前記枠体の上側部分を、横方向へわたる上側横枠により構成するとともに、該上側横枠内に、前記引戸の上端側を挿入するようにした引戸装置であって、
前記迂回路は、前記引戸の上端側から戸厚方向へ突出するとともにその突端側が引戸面に沿って下方へ曲げられた前記引戸側突片部と、前記枠体における前記上側横枠から突出して引戸面と前記引戸側突片部との間に下方側から入り込むように設けられた前記枠体側突片部とから構成される請求項３記載の引戸装置。
【請求項５】
前記上側横枠を中空状に形成するとともに、この上側横枠の内部に、前記引戸を吊持する吊車と、該吊車を横幅方向へ導くガイドレールとを具備した引戸装置であって、前記迂回路は、前記上横枠の内部を通って前記引戸を挟む一方側の空間と他方側の空間とを連通していることを特徴とする請求項４記載の引戸装置。
【請求項６】
前記枠体は、全閉時の戸尻寄りの引戸面に対し戸厚方向側から近接する縦枠を備え、
前記迂回路は、前記引戸の戸尻側から戸厚方向へ突出するとともにその突端側が引戸面に沿って戸先方向へ曲げられた前記引戸側突片部と、前記枠体における前記縦枠から突出して引戸面と前記引戸側突片部との間に戸先方向側から入り込むように設けられた前記枠体側突片部とから構成される請求項３乃至５何れか１項記載の引戸装置。
【発明の詳細な説明】
【技術分野】
【０００１】
本発明は、戸体を横幅方向へ移動させることで開口部を開閉する引戸装置に関するものである。
【背景技術】
【０００２】
従来、この種の発明には、例えば、特許文献１に記載されるもののように、通路用開口部（ｓ）を囲む枠体（１０）と、該枠体の上枠部（１３）内に横幅方向へわたって装着されたガイドレール（７０）と、該ガイドレール上を転動する吊車（２１）と、該吊車によって吊持された引戸（開閉体２０）と、前記上枠部内で前記吊車を移動させるリニアモータ部（３０）とを具備したものがある。
【０００３】
ところで、上記従来技術のような引戸装置では、枠体（１０）と引戸（開閉体２０）の間には、引戸の屋内側と屋外側とを連通する隙間が形成される。より詳細に説明すれば、例えば、枠体（１０）の上枠部（１３）は中空状に形成され、この上枠部（１３）と引戸（開閉体２０）の上端側部分の間には、特許文献１の図２に示されるように、隙間が形成される。このため、万が一、火災が生じた場合には、前記隙間及び上枠部（１３）内を空間を通じて、炎や煙等が、引戸の内外へ通過するおそれがある。
なお、前記隙間をパッキン等により塞ぐことも考えられるが、このようにした場合には、パッキン等の摩擦によって引戸の開閉動作性を損ねてしまったり、パッキン等が火災により焼損しまったりするおそれがある。
【先行技術文献】
【特許文献】
【０００４】
【特許文献１】特開２００５−９００４０号公報
【発明の概要】
【発明が解決しようとする課題】
【０００５】
本発明は上記従来事情に鑑みてなされたものであり、その課題とする処は、引戸と枠体の間の隙間に炎や煙等が通過するのを阻むことができる引戸装置を提供することにある。
【課題を解決するための手段】
【０００６】
上記課題を解決するための一手段は、内側に通路用開口部を有する枠体と、該枠体内を横幅方向へ移動することで前記通路用開口部を開閉する引戸とを具備した引戸装置において、前記通路用開口部を閉鎖した際の前記引戸と前記枠体との間の隙間に、該隙間に侵入した流体を、その侵入方向に対する逆方向へ向けた後に同侵入方向へ戻す迂回路が形成されるようにしたことを特徴とする。
【発明の効果】
【０００７】
本発明は、以上説明したように構成されているので、引戸の動作性低下や焼損による閉鎖性の低下を生じ難い構造でもって、引戸と枠体の間の隙間に炎や煙等が通過するのを阻むことができる
【図面の簡単な説明】
【０００８】
【図１】本発明に係る引戸装置を室内側から視た正面図である。
【図２】図１における(II)-(II)線に沿う断面図である。
【図３】図１における(III)-(III)線に沿う断面図である。
【図４】図１における(IV)-(IV)線に沿う断面図である。
【図５】同引戸装置について、駆動装置を有する部分の縦断面図である。
【図６】図１における(VI)-(VI)線に沿う断面図である。
【図７】図１における(VII)-(VII)線に沿う断面図である。
【図８】引戸の要部を切欠して内部を示す構造図である。
【図９】引戸を上方から視た図である。
【図１０】引戸を下方から視た図である。
【図１１】引戸の要部横断面図である。
【図１２】戸袋側のパネルの一例を示し、（ａ）は正面図、（ｂ）は側面図である。
【図１３】上端側の迂回路の一例を示す縦断面図である。
【図１４】戸尻側の迂回路の一例を示す横断面図である。
【図１５】引戸の下端側を示す要部拡大縦断面図である。
【図１６】本発明に係る引戸装置の他例を示す横断面図である。
【図１７】上端側防炎補助部材の他例を示し、（ａ）は平面図、（ｂ）は正面図、（ｃ）は左側面図である。
【発明を実施するための形態】
【０００９】
本実施の形態の第一の特徴は、内側に通路用開口部を有する枠体と、該枠体内を横幅方向へ移動することで前記通路用開口部を開閉する引戸とを具備した引戸装置において、前記通路用開口部を閉鎖した際の前記引戸と前記枠体との間の隙間に、該隙間に侵入した流体を、その侵入方向に対する逆方向へ向けた後に同侵入方向へ戻す迂回路が形成されるようにした（図２，図４及び図１３〜１４参照）。
この構成によれば、通路用開口部を閉鎖した際の引戸と枠体との間の隙間に、火炎や煙等が侵入しようとした場合に、これら火炎や煙等は、前記迂回路によって前記隙間内を迂回させられて通過する。
よって、火炎や煙等が前記隙間を通過するのを阻むことができ、ひいては、当該引戸装置を、火災時の炎を建物内外に通過させない防火設備（防火戸）として機能させることも可能になる。
【００１０】
第二の特徴としては、前記隙間は、前記引戸を挟む一方側の空間と他方側の空間とを連通するように形成された隙間である。
この構成によれば、通常時は、前記隙間によって引戸内外の通気性を確保することができ、また、火災時には、前記隙間を通過しようとする火炎や煙等を迂回路によって阻むことができる。
【００１１】
第三の特徴としては、前記迂回路は、前記引戸から戸厚方向へ突出するとともにその突端側が引戸面に沿うように曲げられた引戸側突片部と、前記枠体から突出して引戸面と前記引戸側突片部との間に入り込むように設けられた枠体側突片部とから構成される。
この構成によれば、枠体と引戸の間の隙間に、簡素な構造によって、効果的な迂回路を構成することができる。
【００１２】
第四の特徴としては、前記枠体の上側部分を、横方向へわたる上側横枠により構成するとともに、該上側横枠内に、前記引戸の上端側を挿入するようにした引戸装置であって、前記迂回路は、前記引戸の上端側から戸厚方向へ突出するとともにその突端側が引戸面に沿って下方へ曲げられた前記引戸側突片部と、前記枠体における前記上側横枠から突出して引戸面と前記引戸側突片部との間に下方側から入り込むように設けられた前記枠体側突片部とから構成される。
この構成によれば、引戸の上端側に、簡素な構造によって、効果的な迂回路を形成することができる。
【００１３】
第五の特徴としては、前記上側横枠を中空状に形成するとともに、この上側横枠の内部に、前記引戸を吊持する吊車と、該吊車を横幅方向へ導くガイドレールとを具備した引戸装置であって、前記迂回路は、前記上横枠の内部を通って前記引戸を挟む一方側の空間と他方側の空間とを連通している。
この構成によれば、引戸の上端側に構成される迂回路により、通常時は通気性を確保し、火災時には炎や煙の通過を阻むことができる。しかも、上側横枠内の空間に炎や煙等を一時的に溜め込むため、炎や煙等が引戸内外へ通過するのを遅らせることができる。また、上側横枠内の吊車やガイドレールを、通過しようとする炎や煙に対し障害物として作用させることができる。
【００１４】
第六の特徴としては、前記枠体は、全閉時の戸尻寄りの引戸面に対し戸厚方向側から近接する縦枠を備え、前記迂回路は、前記引戸の戸尻側から戸厚方向へ突出するとともにその突端側が引戸面に沿って戸先方向へ曲げられた前記引戸側突片部と、前記枠体における前記縦枠から突出して引戸面と前記引戸側突片部との間に戸先方向側から入り込むように設けられた前記枠体側突片部とから構成される。
この構成によれば、全閉時の引戸の戸尻側の隙間に、炎や煙等が通過するのを効果的に阻むことができる。
【００１５】
次に、上記特徴を有する本実施の形態の好ましい具体例を、図面に基づいて詳細に説明する。
以下の具体例は、病院や、ビル、住宅、倉庫、工場、車両の荷台等の構築・構造物における開口部分に配設され、開閉体を上枠部内のガイドレールに吊り下げて略水平方向へ略直線的に移動させる、上吊方式の引戸装置に適用した一例として説明する。
【００１６】
引戸装置１は、内側に正面視矩形状の通路用開口部Ａを有する枠体１０と、通路用開口部Ａを横幅方向への移動により開閉する引戸２０とを具備する（図１参照）。
この引戸装置１は、通路用開口部Ａを閉鎖した際の引戸２０と枠体１０との間の隙間に、該隙間に侵入した流体を、その侵入方向に対する逆方向へ向けた後に同侵入方向へ戻す迂回路ｓ１，ｓ２（図１３及び図１４参照）が形成されるようにしている。
【００１７】
枠体１０は、引戸２０の開閉経路の上方側に位置する上側横枠１１と、通路用開口部Ａの閉鎖方向側（図１によれば左端側）に位置する戸先側縦枠１２と、引戸２０の開閉範囲の中央寄りに位置する中央側縦枠１３と、全開時の引戸２０の戸尻に対向するように位置する戸尻側縦枠１４とを具備する。
この枠体１０は、図１に示す一例によれば、その枠内の左側部分に通路用開口部Ａを配置し、同枠内の右側部分に、引戸２０を収納するための戸袋部Ｂを配置し、構築構造物等の開口部内縁に嵌め合せられるとともに、戸袋部Ｂを前記構築構造物等の壁内に埋め込んでいる。
【００１８】
上側横枠１１は、通路用開口部Ａの上方に位置する開口側部位１１ａと、戸袋部Ｂの上方に位置する戸袋側部位１１ｂとからなり、引戸開閉方向へ連続する略中空箱状に形成される。これら開口側部位１１ａと戸袋側部位１１ｂは、引戸横幅方向へわたる一体の部材としてもよいし、別体の部材を接合してなるものであってもよい。そして、上側横枠１１の下端部には、引戸２０上端部が挿入される。
【００１９】
上側横枠１１の開口側部位１１ａは、図２に示すように、縦断面略逆Ｌ字状の基部１１ａ１と該基部に対し着脱可能なカバー部１１ａ２とを具備してなる。
【００２０】
また、上側横枠１１の戸袋側部位１１ｂは、図３に示すように、縦断面略逆Ｌ字状の基部１１ｂ１と該基部に対し着脱不能に装着された防火板１１ｂ２とを具備してなる。
防火板１１ｂ２は、その上端側にフック状の掛止部１１ｂ２１（図３及び図１２（ｂ）参照）を有し、この掛止部１１ｂ２１を戸袋部Ｂ内側へ凹ませて、基部１１ｂ１に引っ掛け溶接固定している（図３参照）。
【００２１】
また、上側横枠１１内には、横幅方向の略全長にわたる断面略Ｌ字状のガイドレール１１ｃ（図２及び図３参照）や、全閉時（又は全開時）の衝撃を緩和する制動装置１１ｄ（図２参照）、引戸２０を閉鎖方向へ付勢する駆動装置１１ｅ（図５参照）、全開時の引戸２０を受ける戸当たり部材１１ｆ（図３参照）、ガイドレール１１ｃ下側の受部材１１ｇ等が設けられる。
【００２２】
受部材１１ｇは、引戸開閉方向へわたってガイドレール１１ｃを下方側から覆い受ける縦断面略Ｌ字状の部材であり、詳細には、引戸２０の横幅寸法よりも若干長く形成され、通路用開口部Ａの横幅方向の全長にわたって連続するとともにその引戸開放方向側の端部を戸袋部Ｂ内に挿入させた状態で、上側横枠１１の基部１１ａ１に固定されている。この受部材１１ｇの戸厚方向の突端側は、図２に示すように、ガイドレール１１ｃ及び吊車２４を下方から覆い、上方向きに曲げられて、吊車２４及び支持ブラケット２３との干渉や当接を避けるために、吊車２４と支持ブラケット２３の間に入り込むように位置する。この受部材１１ｇの材質は、耐熱性及び耐腐食性の良好な材料であればよく、例えば、亜鉛メッキ鋼板等とされる。
この受部材１１ｇによれば、火災時の高熱により、ガイドレール１１ｃ、吊車２４、制動装置１１ｄ、駆動装置１１ｅ（図５参照）等が溶融した場合に、その溶融物を下方から受け、該溶融物の落下を阻止する。
【００２３】
上側横枠１１の逆Ｌ字状の基部１１ａ１は、その下端側に、迂回路ｓ１を構成する枠体側突片部１１ａ１１を有し、同様に、カバー部１１ａ２も、その下端側に、迂回路ｓ１を構成する枠体側突片部１１ａ２１を有する。
枠体側突片部１１ａ１１，１１ａ２１の各々は、上側横枠１１の開口側部位１１ａ（図１参照）の下端面において、引戸２０を挿入する開口部の縁（図２参照）を、引戸２０面に近接した位置で上方へ折り曲げることで形成され、引戸２０の横幅方向へ連続している。
【００２４】
また、戸先側縦枠１２は、通路用開口部Ａの引戸閉鎖方向側の端部に位置する部材であり、上側横枠１１から床面にわたる上下方向へ連続している（図１参照）。この戸先側縦枠１２における引戸２０に対向する面には、引戸２０の戸先を嵌脱する凹部１２ａが上下方向へわたって形成される（図４参照）。
なお、図４中、符号１２ｂは、火災時に戸先側縦枠１２が熱変形するのを防ぐ板状の補強材であり、上下方向に間隔を置いて複数溶接されている。
【００２５】
中央側縦枠１３は、引戸開放方向側にて通路用開口部Ａの内縁を形成する部材であり、上側横枠１１の下端から床面にわたる上下方向へ連続するとともに、開放動作した際の引戸２０を挿入する開口部を有する。
そして、中央側縦枠１３における前記開口部内側には、図４に示すように、引戸２０を挟んで戸厚方向の両側に位置するように、枠体側突片部１３ａ，１３ａが設けられる。
これら枠体側突片部１３ａ，１３ａの各々は、中央側縦枠１３の前記開口部の内縁から引戸２０面側へ突出するとともに、引戸２０面に沿って戸尻方向へ折れ曲った横断面略Ｌ字状に形成され（図４参照）、通路用開口部Ａの上下方向の略全長にわたり連続している。
【００２６】
また、戸尻側縦枠１４は、戸袋部Ｂの引戸開放方向側の端部を構成する部材であり（図１参照）、上側横枠１１から床面にわたる上下方向へ連続している。この戸先側縦枠１４には、全開時の引戸２０の戸尻側端部を受けて、その衝撃を緩和する緩衝材１５（例えばゴム等の弾性体）が固定されている（図４参照）。
【００２７】
中央側縦枠１３と戸尻側縦枠１４の間の空間は、開放した際の引戸２０を収納する戸袋部Ｂであり、この戸袋部Ｂの戸厚方向の両端面は、図３に示すように、耐火性の防火板１１ｂ２，１１ｂ３，１１ｂ４（例えば、鉄板等）により構成される。
なお、図３及び図４中、符号１１ｐは、防火板１１ｂ２，１１ｂ３，１１ｂ４を、基部１１ｂ１やその他のパネル材等に溶接する溶接部である。この溶接部１１ｐ及び該溶接部１１ｐによる接合箇所は、外壁材ｘ内面との干渉を避けるように、防火板１１ｂ２，１１ｂ３，１１ｂ４を部分的に戸袋部Ｂ内側へ凹ませた部分に設けられる。溶接部１１ｐは、横幅方向に連続して設けてもよいし、横幅方向に間欠的に設けるようにしてもよい。
【００２８】
引戸２０は、正面視略矩形状の引戸本体２１（図１参照）と、該引戸本体２１の上端面に固定された上端側防炎補助部材２２（図２参照）と、防炎補助部材２２から上方へ突出する支持ブラケット２３及び吊車２４（図２参照）と、引戸本体２１の戸尻側の端面に固定された戸尻側防炎補助部材２５（図４参照）とを具備する。そして、この引戸２０は、吊車２４によりガイドレール１１ｃに吊るされるとともに、下端側が床面のガイドローラ２６（図２参照）に嵌め合せられて、横幅方向へ直進運動する。
【００２９】
引戸本体２１は、通路用開口部Ａを略覆う矩形板状に構成され、その上端側部分を、上側横枠１１に挿入している。この引戸本体２１は、ある程度の厚みを有する中空状に構成され、その内部には、当該引戸装置１の使用目的に応じた材料（例えば、断熱材や防音材、耐火部材、補強材等）からなる芯材２１ａが設けられる。
【００３０】
上端側防炎補助部材２２は、引戸横幅方向の略全長にわたって、引戸本体２１の上端面に固定された略矩形板状の部材であり（図８及び図９参照）、戸厚方向の両端部を、引戸本体２１の表裏面から突出している（図２参照）。この突端側には、下方へ突出して後述する迂回路ｓ１を構成する引戸側突片部２２ａと、上方へ突出して火災時の溶融物等の落下を阻む突片部２２ｂとを有する（図２及び図１３参照）。
また、上端側防炎補助部材２２の戸尻側端部２２ｃは、引戸２０の戸尻側端部から戸袋部Ｂ内へ突出して（図８参照）、火災時の溶融物が戸袋部Ｂ内で戸尻側に落下するのを防ぐ。
この上端側防炎補助部材２２の材質は、耐熱性及び耐腐食性の良好な材料であればよく、例えば、亜鉛メッキ鋼板等とされる。
【００３１】
引戸側突片部２２ａは、図１３に示すように、上端側防炎補助部材２２の戸厚方向の突端側を、枠体側突片部１１ａ２１よりも引戸２０面から離隔するとともに、引戸面に沿うように下方へ曲げることで形成される。
この引戸側突片部２２ａは、引戸２０における横幅方向の略全長にわたって連続している。
【００３２】
また、上側横枠１１側の突片部２２ｂは、図１３に示すように、上端側防炎補助部材２２の戸厚方向の突端側を、引戸２０面から離隔した位置で、引戸側突片部２２ａとは逆に上方へ突出させてなり、引戸２０横幅方向の略全長にわたって連続している。
この突片部２２ｂは、上端側防炎補助部材２２の戸厚方向の両端側に設けられ、例えば、火災時にガイドレール１１ｃ（アルミニウム合金）や吊車２４（合成樹脂材材料）が溶融した場合に、これら溶融物を受けて下方へ落下するのを防ぐ。
【００３３】
また、上端側防炎補助部材２２の上面には、図９に示すように、複数のガス抜き孔２２ｄが設けられる。これらガス抜き孔２２ｄは、引戸２０内の空間に連通しており、火災時の高温により発生した引戸２０内のガスを上側横枠１１内へ逃がす。
【００３４】
上端側防炎補助部材２２の上面において、ガス抜き孔２２ｄの周囲には、上端側防炎補助部材２２上面よりも上方へ突出した円筒状の堤部２２ｅが設けられる（図９参照）。この堤部２２ｅは、火災時の高温による溶融物が、ガス抜き孔２２ｄから引戸２０内へ侵入するのを防ぎ、ひいては、前記溶融物により、引戸２０内の芯材２１ａや接着剤等が溶融したり引火したりするのを防ぐ。
【００３５】
また、図９に示すように、上端側防炎補助部材２２の上面における戸先側と戸尻側には、それぞれ、戸先側突片部２２ｆと、戸尻側突片部２２ｇが設けられる。これら突片部２２ｆ，２２ｇは、上端側防炎補助部材２２上面から上方へ突出するとともに、戸厚方向両側の突片部２２ｂ，２２ｂの間にわたって連続している。
戸先側突片部２２ｆは、火災時の溶融物が戸先側へ落下するのを防ぐ。また、戸尻側突片部２２ｇは、火災時の溶融物が戸尻側へ落下するのを防ぐ。
【００３６】
なお、図９中、符号２２ｈは、吊車２４の支持ブラケット２３を固定する取付孔であり、火災時に吊車２４の溶融物がガス抜き孔２２ｄに落下するのを防ぐように、ガス抜き孔２２ｄに対し戸幅方向へ離れた位置に設けられる。
【００３７】
また、支持ブラケット２３及び吊車２４は、引戸本体２１（詳細には上端側防炎補助部材２２）の上端面に、引戸幅方向へ間隔を置いて複数（図示例によれば二つ）支持される。
支持ブラケット２３は、図示例によれば、断面Ｌ字状の金具であり、その底片部分を引戸本体２１上端に固定するとともに、上方へ突出する垂直状片部分に、吊車２４を回転自在に支持している。
吊車２４は、例えば、合成樹脂材料等から薄肉円柱状に形成され、その外周面をガイドレール１１ｃ上で転動させるように係合している。
【００３８】
また、戸尻側防炎補助部材２５は、引戸上下方向の略全長にわたって、引戸本体２１の戸尻側の端面に固定された略矩形板状の部材である（図４、図１０及び図１１参照）。この戸尻側防炎補助部材２５における戸厚方向の両端側には、引戸本体２１面から突出するとともに戸先方向へも突出した引戸側突片部２５ａが形成される。この引戸側突片部２５ａは後述する迂回路ｓ２を構成する。
【００３９】
そして、上記構成の引戸装置１によれば、特に引戸２０の全閉や略全閉の際に、引戸側突片部２２ａと枠体側突片部１１ａ１１，１１ａ２１との間、および引戸２０と引戸側突片部２２ａとの間には、迂回路ｓ１，ｓ２を構成するため、および引戸２０が開閉動作する際に該引戸２０との干渉や当接を避けるために、隙間が設けられる。
【００４０】
次に、前記隙間に設けられる迂回路ｓ１，ｓ２について詳細に説明する。
引戸２０上端側の迂回路ｓ１は、図１３に示すように、引戸２０上端から戸厚方向へ突出して下方へ向く引戸側突片部２２ａや、上側横枠１１の下端側から突出して引戸面と引戸側突片部２２ａとの間に下方から入り込む枠体側突片部１１ａ２１，１１ａ１１、上側横枠１１内の空間等によって構成される。そして、この迂回路ｓ１は、引戸２０を挟む一方の空間と他方の空間（例えば、図１３の引戸２０左右の空間）を、上側横枠１１内を介して連通している。
より詳細に説明すれば、この迂回路ｓ１は、図１３に二点鎖線で示すように、引戸２０の戸厚方向の一方側（図１３によれば右側）においては、引戸２０面と枠体側突片部１１ａ２１の間に侵入した流体を、上端側防炎補助部材２２に当てて、侵入方向に対する逆方向（図１３によれば下方）へ略Ｕターン状に曲げ、枠体側突片部１１ａ２１と引戸側突片部２２ａの間を前記逆方向へ通過させた後、上側横枠１１内の底面に当てて曲げ、前記侵入方向（図１３によれば上方）へ戻して上側横枠１１内へ導く、略蛇行状の経路を形成している。同様に、引戸２０の戸厚方向の他方側（図１３によれば左側）の迂回路ｓ１も、前記と対称の略蛇行状の経路を形成している。
【００４１】
また、引戸２０戸尻側の迂回路ｓ２は、図１４に示すように、引戸２０の戸尻側端部から戸厚方向へ突出するとともに戸先方向へ延設された引戸側突片部２５ａや、中央側縦枠１３の戸先側端部から引戸２０面側へ突出するとともに引戸２０面と引戸側突片部２５ａとの間に入り込む枠体側突片部１３ａ、戸袋部Ｂ内の空間等によって構成される。そして、この迂回路ｓ２は、引戸２０を挟む一方の空間と他方の空間（例えば、図１４の引戸２０上下の空間）を、戸袋部Ｂ内を介して連通している。
より詳細に説明すれば、この迂回路ｓ２は、図１４に二点鎖線で示すように、引戸２０の戸厚方向の一方側（図１４によれば下側）においては、引戸２０面と枠体側突片部１３ａの間に侵入した流体を、戸尻側防炎補助部材２５に当てて、侵入方向に対する逆方向（図１４によれば左方向）へ略Ｕターン状に向け、枠体側突片部１３ａと引戸側突片部２５ａの間を前記逆方向へ通過させた後、中央側縦枠１３内面に当てて曲げ、前記侵入方向（図１４によれば右方向）へ戻して戸袋部Ｂ内へ導く、略蛇行状の経路を形成している。同様に、引戸２０の戸厚方向の他方側（図１４によれば上側）の迂回路ｓ２も、前記と対称の略蛇行状の経路を形成している。
【００４２】
なお、図１３中、符号２１ｂ，２１ｃは、引戸本体２１を表部と裏部を構成する表面板であり、引戸本体２１の表部と裏部の各々に略矩形板状に設けられる。
同図１３中、符号２１ｄは、引戸幅方向へ連続する断面コ字状の骨材であり、その戸厚方向の両端面に表面板２１ｂ，２１ｃを接着している。
同図１３中、符号２１ｅは、引戸幅方向へ連続する断面コ字状の補強材であり、引戸本体２１の上端部に厚み方向へ跨って嵌り合うことで、火災時の高熱により表面板２１ｂ，２１ｃが骨材２１ｄから剥がれるのを防ぐ。
【００４３】
また、図１４中、符号２１ｆは、引戸本体２１の戸尻側の内面に沿って上下方向へ連続する断面コ字状の骨材であり、その戸厚方向の両端面に表面板２１ｂ，２１ｃを接着している。
同図１４中、符号２１ｇは、引戸本体２１の戸尻側の外面に沿って上下方向へ連続する断面コ字状の補強材であり、引戸本体２１の戸尻側端部に厚み方向へ跨って嵌り合うことで、火災時の高熱により表面板２１ｂ，２１ｃが骨材２１ｆから剥がれるのを防ぐ。
【００４４】
また、図１５中、符号２１ｈは、引戸本体２１の下端側の内面に沿って引戸横幅方向へ連続する断面コ字状の骨材であり、その戸厚方向の両端面に表面板２１ｂ，２１ｃを接着している。
同図１５中、符号２１ｂ１，２１ｃ１は、表面板２１ｂ，２１ｃの下端側を、それぞれ潰し曲げしてなる断面略Ｕ字状の曲げ部である。これら曲げ部２１ｂ１，２１ｃ１は、それぞれ、骨材２１ｈの下端縁に凹状に嵌り合うことで、火災時の高温によって表面板２１ｂ，２１ｃが骨材２１ｈから剥がれるのを防ぐ。
特に、図１０の引戸２０の下面図に示すように、曲げ部２１ｂ１，２１ｃ１と補強材２１ｍの隙間ｃ、曲げ部２１ｂ１，２１ｃ１と補強材２１ｇの隙間ｃ、骨材２１ｈと補強材２１ｍの隙間ｃ、骨材２１ｈと補強材２１ｇの隙間ｃは、何れも０ｍｍ又は０ｍｍに近い寸法に設定される。よって、火災時等の高熱により引戸本体２１内のガスが前記隙間ｃから外部へ流出するのを防ぐことができる。
【００４５】
また、図６中、符号２７は、耐熱板ガラスからなる矩形板状の小窓であり、符号２７ａは、小窓２７の周囲をパッキン等を介して支持する枠材である。
同図６中、符号２１ｉ，２１ｊは、小窓２７の枠材２７ａを受ける骨材である。これら骨材２１ｉ，２１ｊは、図８に示すように、引戸本体２１の上下方向の略全長にわたって連続している。特に、戸尻側の骨材２１ｊは、引戸本体２１内の戸尻側に上下方向に連続する通路状の空間を確保し、この空間によって、火災時に発生したガスを横幅方向や下方へ逃がさずに上方のガス抜き孔２２ｄへ導く（図８の二点鎖線参照）。
【００４６】
また、図１及び図７中、符号２８は、全閉時の引戸２０を施錠する錠前装置である。また、符号２１ｋ１（図７参照）は、引戸本体２１の最戸先側部分を補強する骨材であり、該骨材２１ｋ１の上端側には錠前装置２８を組付けるための切欠部２１ｋ１１が形成される。この切欠部２１ｋ１１による強度低下を防ぐために、骨材２１ｋ１における前記切欠部２１ｋ１１を有する部分の内側には、横断面コ字状の補強材２１ｋ２が設けられる。
すなわち、仮に補強材２１ｋ２を有さない構造であった場合には、火災時の高温により、骨材２１ｋ１が戸厚方向の内側へ変形するおそれがあるが、このような熱変形を、断面略コ字状の骨材２１ｋ２によって阻むことができる。
【００４７】
そして、前記補強材２１ｋ２には、戸厚方向に間隔を置いた二枚の補強板２１ｋ３，２１ｋ３が溶接固定される。そして、これら補強板２１ｋ３，２１ｋ３を間に挟むとともに挿通するようにして錠前装置２８が組み付けられている。
【００４８】
また、図７中、符号２１ｍは、引戸本体２１の戸先側の外面に沿って上下方向へ連続する断面コ字状の補強材であり、引戸本体２１の戸先側端部に厚み方向へ跨って嵌り合うことで、火災時の高熱により表面板２１ｂ，２１ｃが骨材２１ｋ１から剥がれるのを防ぐ。
【００４９】
次に、上記構成の引戸装置１について、特徴的な作用効果を詳細に説明する。
図１３に示すように、引戸２０の全閉状態において、通常時は、上側横枠１１と引戸２０の間の迂回路ｓ１、及び中央側縦枠１３と引戸２０の間の迂回路ｓ２により、枠体１０と引戸２０の間に隙間が確保されるため、この隙間によって、引戸２０内外の通気性も確保できる上、引戸２０の開閉動作性を良好に維持することができる。
また、万が一、火災等の発生により、火炎や煙等が前記隙間に侵入して引戸２０の内外へ通過しようとした場合には、これら火炎や煙等は、図１３及び図１４に二点鎖線で示すように、迂回路ｓ１，ｓ２によって迂回させられる。特に、上側横枠１１内においては、ガイドレール１１ｃや支持ブラケット２３及び吊車２４等が、火炎や煙等に対する障害物としても作用する。
よって、火炎や煙等が引戸２０内外へ通過するのを効果的に阻むことができ、ひいては、当該引戸装置１を、火災時の炎を建物内外に通過させない防火設備（防火戸）として機能させることも可能になる。
【００５０】
次に、本実施の形態の他の具体例である引戸装置２について説明する（図１６参照）。なお、この引戸装置２について、上記引戸装置１と略同様の部分については同一の符号を付けることで詳細な説明を省略する。
上述した引戸装置１（図１参照）が構築構造物の壁部の厚みｔ内に引戸２０を配置しているのに対し、以下に示す引戸装置２（図１６参照）は、構築構造物の壁部から厚み方向へ突出するように引戸２０’を配置している（面付けタイプと呼称される）。
【００５１】
引戸装置２は、内側に矩形状の通路用開口部Ａを有する枠体１０’と、通路用開口部Ａを横幅方向への移動により開閉する引戸２０’とを具備する。
【００５２】
枠体１０’は、引戸２０’の開閉経路の上方側に位置する上側横枠（図示せず）と、通路用開口部Ａの開放方向側（図１６によれば左端側）に位置する戸先側縦枠１２’と、引戸２０’の開閉範囲の中央寄りに位置する中央側縦枠１３’と、全開時の引戸２０’の戸尻に対向するように位置する戸尻側縦枠１４’とを具備する。
この枠体１０’の前記上側横枠（図示せず）と引戸２０’との間には、上記引戸装置１と略同様にして迂回路が形成され（図１３参照）、また、全閉時の引戸２０’の戸尻側部分と戸尻側縦枠１４’との間には、後述する迂回路ｓ３が形成される（図１６参照）。
【００５３】
戸先側縦枠１２’は、通路用開口部Ａの引戸閉鎖方向側の端部に位置する部材であり、構築構造物等の壁部から厚み方向（図１６によれば下方）へ突出する部分を有し、この突出部分に、引戸２０’の戸先を嵌脱する凹部１２ａ’を上下方向へわたって形成している。
この戸先側縦枠１２’内には、図１６に破線で示すように、戸厚方向へわたる横断面略Ｌ字状の補強材１２ｂ’が固定される。この補強材１２ｂ’は、上下方向に間隔を置いて複数配設され、枠体１０’の引戸２０’側の部分（図１６における下側部分）が火災時の熱変形により横幅方向（図１６によれば左方向）へ広がってしまうのを防ぐ。
【００５４】
中央側縦枠１３’は、通路用開口部Ａの戸尻側の内縁を形成するとともに、全閉時の引戸２０’の後端側部分に重なり合う部材である。
この中央側縦枠１３’における戸厚方向の一端側（図１６によれば下端側）には、戸厚方向へ突出するとともに戸尻方向へ向くように枠体側突片部１３ａ’が設けられる。この枠体側突片部１３ａ’は、上下方向へ連続して設けられ、後述する迂回路ｓ３を構成する。
なお、図１６中、符号１３ｂ’は、中央側縦枠１３’の熱変形を防ぐ補強材である。
【００５５】
戸尻側縦枠１４’は、構築構造物等の壁部から引戸２０’側（図１６によれば下方）へ突出するとともに、図示しない上側横枠から床面にわたる上下方向へ連続するように形成される。この戸尻側縦枠１４’は、引戸２０’を収納するための戸袋部Ｂの戸尻側端部を構成している。
【００５６】
引戸２０’は、上記引戸２０に対し、戸尻側防炎補助部材２５を戸尻側防炎補助部材２５’に置換した構成とされる。
戸尻側防炎補助部材２５’は、引戸上下方向の略全長にわたって、引戸本体２１の戸尻側の端面に固定された略矩形板状の部材である。この戸尻側防炎補助部材２５’には、引戸本体２１面よりも中央側縦枠１３’側へ突出するとともに戸先方向へも突出した引戸側突片部２５ａ’が形成される（図１６参照）。この引戸側突片部２５ａ’は後述する迂回路ｓ３を構成する。
【００５７】
そして、上記構成によれば、引戸側突片部２５ａ’と枠体側突片部１３ａ’との間、および引戸２０’と枠体側突片部１３ａとの間には、迂回路ｓ３を構成するため、および引戸２０’が開閉動作する際に該引戸２０’との干渉や当接を避けるために、隙間が設けられる。
【００５８】
前記隙間に設けられる迂回路ｓ３は、図１６に示すように、引戸２０’の戸尻側端部から中央側縦枠１３’側へ突出するとともに戸先方向へ延設された引戸側突片部２５ａ’や、中央側縦枠１３’から引戸２０’面側へ突出するとともに引戸２０’面と引戸側突片部２５ａ’との間に入り込む枠体側突片部１３ａ’等によって構成される略蛇行状の通路である。この迂回路ｓ３は、引戸２０’を挟む一方の空間と他方の空間（図１６によれば引戸２０’上下の空間）とを、連通している。
【００５９】
よって、上記構成の引戸装置２によれば、通常時は、上側横枠（図示せず）と引戸２０’の間の迂回路（図示せず）、及び中央側縦枠１３’と引戸２０’の間の迂回路ｓ３により、枠体１０’と引戸２０’の間に隙間が確保されるため、この隙間によって、引戸２０’内外の通気性を確保することもできる上、引戸２０’の開閉動作性を良好に維持することもできる。
また、万が一、火災等の発生により、火炎や煙等が前記隙間に侵入して引戸２０’の内外へ通過しようとした場合には、これら火炎や煙等は、前記迂回路ｓ３によって迂回させられる。
よって、火炎や煙等が引戸２０’内外へ通過するのを効果的に阻むことができ、ひいては、当該引戸装置２を、火災時の炎を建物内外に通過させない防火設備（防火戸）として機能させることも可能になる。
【００６０】
なお、図示例の引戸装置１，２によれば、迂回路ｓ１，ｓ２，ｓ３を、引戸２０，２０’の上端側と戸尻側に設けたが、他例としては、同様の構成の迂回路を、引戸の戸先側や下端側に設けることが可能である。
【００６１】
また、迂回路ｓ１，ｓ２，ｓ３は、略Ｓ字状に蛇行する回数を、図示例のものよりも増やして、炎や煙の通過をより効果的に阻むようにしてもよい。
【００６２】
また、上端側防炎補助部材２２は、図１７に示す上端側防炎補助部材２２’に置換することが可能である。上端側防炎補助部材２２’は、上記上端側防炎補助部材２２（図９参照）の堤部２２ｅを堤部２２ｅ’に置換したものである。
堤部２２ｅ’は、戸先側及び戸尻側の突片部２２ｆ，２２ｇと同構成の部材であり、ガス抜き孔２２ｄを間に置くようにして一対に設けられ、火災時等に引戸２０上方から落下した溶融物がガス抜き孔２２ｄ内へ侵入するのを阻む。
【００６３】
また、上記態様では、特に耐火性能の高い引戸装置を構成したが、掛止部１１ｂ２１及び溶接部１１ｐ等の構造は、上記態様よりも耐火性能の低い通常の引戸装置に適用した場合にも、上述した作業性等の作用効果を奏する。
【００６４】
また、上記態様では、上端側防炎補助部材２２及び戸尻側防炎補助部材２５をそれぞれ戸厚方向において対称形状とし、製造性の向上をはかったが、他例としては、これらを非対称形状とすることが可能である。
【００６５】
また、上記態様では、特に好ましい具体例として、下方向きの引戸側突片部２２ａ及び上方向きの突片部２２ｂを、戸厚方向の一方と他方に設けたが、使用上特に支障等がなければ、何れか一方を省くことが可能である。
また、溶融物等の落下防止のみを要する場合や、迂回路ｓ１による作用効果のみを要する場合等、使用上の目的によっては、引戸側突片部２２ａと突片部２２ｂのうち、その一方を省くことも可能である。
【００６６】
また、引戸２０の補強を目的に引戸２０内に一つ又は複数の骨材や補強材を組み込む場合、これら骨材等は、引戸２０の上下方向、横幅方向等、方向については任意とすることが可能である。しかし、図８の一例のように、ガス抜き孔２２ｄが上方に設けられている場合には、中空部Ｃ１，Ｃ２内に発生したガスの移動を妨げにくくするために、前記骨材等を上下方向に組み込むことが好ましい。
また、他例として、ガス抜き孔２２ｄを戸尻側のみに設けた場合には、引戸本体２１七内の中空部に発生したガスの戸尻側への流れを妨げないように、前記骨材等を横幅方向（左右方向）へ組み込むのが好ましい。なお、前記何れの場合にも、前記骨材の端部は、ガス抜き孔２２ｄを塞がないように避けた位置とするのが好ましい。
【００６７】
１，２：引戸装置
１０，１０’：枠体
１１：上側横枠
１１ａ１１，１１ａ２１：枠体側突片部
１２，１２’：戸先側縦枠
１３，１３’：中央側縦枠
１３ａ，１３ａ’：枠体側突片部
１４，１４’：戸尻側縦枠
２０，２０’：引戸
２２，２２’：上端側防炎補助部材
２２ａ：引戸側突片部
２５，２５’：戸尻側防炎補助部材
２５ａ，２５ａ’：引戸側突片部
ｓ１，ｓ２，ｓ３：迂回路
Ａ：通路用開口部
Ｂ：戸袋部
【図１】
2014211038.tif 000003
【図２】
2014211038.tif 000004
【図３】
2014211038.tif 000005
【図４】
2014211038.tif 000006
【図５】
2014211038.tif 000007
【図６】
2014211038.tif 000008
【図７】
2014211038.tif 000009
【図８】
2014211038.tif 000010
【図９】
2014211038.tif 000011
【図１０】
2014211038.tif 000012
【図１１】
2014211038.tif 000013
【図１２】
2014211038.tif 000014
【図１３】
2014211038.tif 000015
【図１４】
2014211038.tif 000016
【図１５】
2014211038.tif 000017
【図１６】
2014211038.tif 000018
【図１７】
2014211038.tif 000019